(57)【要約】【課題】マルチ画面における各画面間の輝度の均一性を確保する。【解決手段】映像表示装置１００−０および映像表示装置１００−１，１００−２，１００−３の各々は、マルチ画面１０Ａに照射される光の輝度がマルチ画面１０Ａ全体にわたって均一化されていない場合、マルチ画面１０Ａに照射される光の輝度をマルチ画面１０Ａ全体にわたって均一化する処理を行う。【選択図】図１
2013160966.tif 000002
【特許請求の範囲】
【請求項１】
第１画面を有する、マスター装置である第１映像表示装置と、第２画面を有する１以上の、スレーブ装置である第２映像表示装置とを含み、かつ、前記第１画面および１以上の前記第２画面から構成されるマルチ画面に映像を表示するマルチ画面表示装置であって、
前記第１映像表示装置および前記１以上の第２映像表示装置の各々は、
前記マルチ画面に映像を表示するために前記マルチ画面に照射するための光を出射する複数の発光素子を含むアレイ光源と、
前記複数の発光素子を発光させる制御を行う光源制御部と、
前記複数の発光素子のうち、故障している発光素子である故障発光素子が存在するか否かを判定する故障判定部と、を備え、
前記光源制御部は、さらに、前記故障発光素子が存在する場合、該故障発光素子を含む前記アレイ光源が出射する光の輝度を、前記故障発光素子が故障する前の前記アレイ光源が出射する光の輝度に近づくように、前記複数の発光素子のうち前記故障発光素子を除いた発光素子を制御するための光補正処理を行い、
前記第２映像表示装置は、前記光補正処理を行った場合、該光補正処理に関する補正情報を前記第１映像表示装置へ送信し、
前記第１映像表示装置は、前記第１映像表示装置が前記光補正処理を行った場合または前記第２映像表示装置から前記補正情報を受信した場合、前記第１映像表示装置が行った前記光補正処理に関する補正情報、および、受信した前記補正情報の少なくとも一方に基づいて、前記マルチ画面に照射される光の輝度を前記マルチ画面全体にわたって均一化するための補正指示を作成し、
前記第１映像表示装置および前記第２映像表示装置の各々は、前記マルチ画面に照射される光の輝度が前記マルチ画面全体にわたって均一化されていない場合、前記補正指示にしたがって、前記マルチ画面に照射される光の輝度を前記マルチ画面全体にわたって均一化する処理を行う
マルチ画面表示装置。
【請求項２】
前記発光素子は、該発光素子に電流が流れることにより発光し、
前記第１映像表示装置および前記第２映像表示装置の各々の前記光源制御部は、前記発光素子に流れる電流と、該発光素子が出射する光の輝度との関係を示す特性である電流輝度特性を用いて前記光補正処理を行い、
前記第１映像表示装置および前記第２映像表示装置の各々は、前記故障発光素子を含まない前記アレイ光源が出射する光の輝度に対する、前記故障発光素子を含む前記アレイ光源が前記光補正処理に従って出射する光の輝度の割合である輝度低下率を算出する
請求項１に記載のマルチ画面表示装置。
【請求項３】
前記第１映像表示装置は、前記第２映像表示装置の前記故障判定部が前記故障発光素子が存在すると判定した場合、算出された前記輝度低下率を前記補正情報として、前記第２映像表示装置から取得する
請求項２に記載のマルチ画面表示装置。
【請求項４】
前記第１映像表示装置および前記１以上の第２映像表示装置の各々は、さらに、
各前記発光素子に対応づけて設けられる定電流回路を備え、
前記光源制御部は、前記定電流回路を制御することにより、該定電流回路に対応する発光素子の発光を制御する
請求項１〜３のいずれか１項に記載のマルチ画面表示装置。
【請求項５】
前記アレイ光源は、赤色光を出射する赤光源、緑色光を出射する緑光源および青色光を出射する青光源を含む
請求項１〜４のいずれか１項に記載のマルチ画面表示装置。
【請求項６】
前記発光素子は、ＬＥＤ（Light Emitting Diode）である
請求項１〜５のいずれか１項に記載のマルチ画面表示装置。
【請求項７】
第１画面を有する、マスター装置である第１映像表示装置と、第２画面を有する１以上の、スレーブ装置である第２映像表示装置とを含み、かつ、前記第１画面および１以上の前記第２画面から構成されるマルチ画面に映像を表示するマルチ画面表示装置が行う輝度制御方法であって、
前記第１映像表示装置および前記１以上の第２映像表示装置の各々は、
前記マルチ画面に映像を表示するために前記マルチ画面に照射するための光を出射する複数の発光素子を含むアレイ光源と、
前記複数の発光素子を発光させる制御を行う光源制御部と、を備え、
前記輝度制御方法は、
前記複数の発光素子のうち、故障している発光素子である故障発光素子が存在するか否かを判定するステップと、
前記光源制御部が、前記故障発光素子が存在する場合、該故障発光素子を含む前記アレイ光源が出射する光の輝度を、前記故障発光素子が故障する前の前記アレイ光源が出射する光の輝度に近づくように、前記複数の発光素子のうち前記故障発光素子を除いた発光素子を制御するための光補正処理を行うステップと、
前記第２映像表示装置が、前記光補正処理を行った場合、該光補正処理に関する補正情報を前記第１映像表示装置へ送信するステップと、
前記第１映像表示装置が、前記第１映像表示装置が前記光補正処理を行った場合または前記第２映像表示装置から前記補正情報を受信した場合、前記第１映像表示装置が行った前記光補正処理に関する補正情報、および、受信した前記補正情報の少なくとも一方に基づいて、前記マルチ画面に照射される光の輝度を前記マルチ画面全体にわたって均一化するための補正指示を作成するステップと、
前記第１映像表示装置および前記第２映像表示装置の各々が、前記マルチ画面に照射される光の輝度が前記マルチ画面全体にわたって均一化されていない場合、前記補正指示にしたがって、前記マルチ画面に照射される光の輝度を前記マルチ画面全体にわたって均一化する処理を行うステップと、を含む
輝度制御方法。
【発明の詳細な説明】
【技術分野】
【０００１】
本発明は、複数の画面から構成されるマルチ画面に映像を表示するマルチ画面表示装置および輝度制御方法に関する。
【背景技術】
【０００２】
投射型映像表示装置では、近年、従来のランプ光源に代わりに、発光ダイオード（ＬＥＤ（Light Emitting Diode））を利用した光源が使用されつつある。特に、ＤＭＤ（Digital Micromirror Device）を用いたＤＬＰ（登録商標）（Digital Light Processing）方式の表示装置では、赤色光を出射するＬＥＤと、緑色光を出射するＬＥＤと、青色光を出射するＬＥＤとが用いられる。当該ＤＬＰ（登録商標）方式の表示装置では、これら３色のＬＥＤを時系列に点灯させている。
【０００３】
このような、ＬＥＤを光源として利用した投射型映像表示装置には、光源の輝度を上げるため、複数のＬＥＤで構成されるＬＥＤアレイを用いたものがある。以下においては、赤色光を出射するＬＥＤアレイをＲ-ＬＥＤアレイともいう。また、緑色光を出射するＬＥＤアレイをＧ-ＬＥＤアレイともいう。また、以下においては、青色光を発光するＬＥＤアレイをＢ-ＬＥＤアレイともいう。
【０００４】
このような投射型映像表示装置には、ＬＥＤアレイを構成するＬＥＤごと、もしくは、複数組のＬＥＤ群ごとに駆動回路が設けられている。具体的には、前者については、Ｒ-ＬＥＤアレイは、例えば、６個のＬＥＤで構成されている。当該６個のＬＥＤには、それぞれ、６個の駆動回路が設けられている。また、後者については、３組のＬＥＤ群毎に駆動回路が設けられている構成等がある。当該ＬＥＤ群は、例えば、２個のＬＥＤで構成される。
【０００５】
また、近年では、複数の投射型映像表示装置から構成され、かつ、複数の画面から構成されるマルチ画面に映像を表示するマルチ画面表示装置にも、ＲＧＢそれぞれのＬＥＤを光源とするものがある。当該マルチ画面表示装置は、スクリーン背面から映像を投射することによって、画面（スクリーン）に映像を表示する投射型映像表示装置がある。
【０００６】
複数のＬＥＤを用いた映像表示装置としては、各ＬＥＤに供給される電流の電流値を制御することで、光源の発光量を制御する技術を利用したものが提案されている（例えば、特開文献１参照）。
【先行技術文献】
【特許文献】
【０００７】
【特許文献１】特開２００８−１８５９２４号公報
【発明の概要】
【発明が解決しようとする課題】
【０００８】
しかしながら、マルチ画面表示装置では、以下のような問題がある。
【０００９】
例えば、Ｒ-ＬＥＤアレイ内の１個のＬＥＤが故障し、当該ＬＥＤが点灯不能になった場合、故障したＬＥＤの駆動回路は、ＬＥＤの駆動を停止する。この場合、スクリーンに投射される映像は、赤色の輝度が低下する。これにより、マルチ画面に表示される映像の色度も変化する。
【００１０】
特に、複数の映像表示装置からなるマルチ画面表示装置では、ある映像表示装置の輝度等の変化により、マルチ画面における各画面間の輝度の均一性を損なうことになる。
【００１１】
本発明は、このような問題を解決するためになされたものであり、マルチ画面における各画面間の輝度の均一性を確保することが可能なマルチ画面表示装置等を提供することを目的とする。
【課題を解決するための手段】
【００１２】
上記目的を達成するために、本発明の一態様に係るマルチ画面表示装置は、第１画面を有する、マスター装置である第１映像表示装置と、第２画面を有する１以上の、スレーブ装置である第２映像表示装置とを含み、かつ、前記第１画面および１以上の前記第２画面から構成されるマルチ画面に映像を表示するマルチ画面表示装置である。マルチ画面表示装置は、前記第１映像表示装置および前記１以上の第２映像表示装置の各々は、前記マルチ画面に映像を表示するために前記マルチ画面に照射するための光を出射する複数の発光素子を含むアレイ光源と、前記複数の発光素子を発光させる制御を行う光源制御部と、前記複数の発光素子のうち、故障している発光素子である故障発光素子が存在するか否かを判定する故障判定部と、を備え、前記光源制御部は、さらに、前記故障発光素子が存在する場合、該故障発光素子を含む前記アレイ光源が出射する光の輝度を、前記故障発光素子が故障する前の前記アレイ光源が出射する光の輝度に近づくように、前記複数の発光素子のうち前記故障発光素子を除いた発光素子を制御するための光補正処理を行い、前記第２映像表示装置は、前記光補正処理を行った場合、該光補正処理に関する補正情報を前記第１映像表示装置へ送信し、前記第１映像表示装置は、前記第１映像表示装置が前記光補正処理を行った場合または前記第２映像表示装置から前記補正情報を受信した場合、前記第１映像表示装置が行った前記光補正処理に関する補正情報、および、受信した前記補正情報の少なくとも一方に基づいて、前記マルチ画面に照射される光の輝度を前記マルチ画面全体にわたって均一化するための補正指示を作成し、前記第１映像表示装置および前記第２映像表示装置の各々は、前記マルチ画面に照射される光の輝度が前記マルチ画面全体にわたって均一化されていない場合、前記補正指示にしたがって、前記マルチ画面に照射される光の輝度を前記マルチ画面全体にわたって均一化する処理を行う。
【発明の効果】
【００１３】
本発明によれば、第１映像表示装置および第２映像表示装置の各々は、マルチ画面に照射される光の輝度がマルチ画面全体にわたって均一化されていない場合、マルチ画面に照射される光の輝度をマルチ画面全体にわたって均一化する処理を行う。
【００１４】
これにより、マルチ画面における各画面間の輝度の均一性を確保することが可能なマルチ画面表示装置を提供することができる。
【図面の簡単な説明】
【００１５】
【図１】本発明の実施の形態に係るマルチ画面表示装置の構成を示す図である。
【図２】マルチ画面の構成を示す図である。
【図３】映像表示装置の構成を示すブロック図である。
【図４】アレイ光源の構成を示す図である。
【図５】電流輝度特性の一例を示す図である。
【図６】輝度制御処理のフローチャートである。
【発明を実施するための形態】
【００１６】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１７】
図１は、本発明の実施の形態に係るマルチ画面表示装置１０００の構成を示す図である。マルチ画面表示装置１０００は、画面に映像を投射する投射型の映像表示装置（マルチビジョン）である。
【００１８】
図１に示すように、マルチ画面表示装置１０００は、映像表示装置１００−０，１００−１，１００−２，１００−３を含む。映像表示装置１００−０，１００−１，１００−２，１００−３の各々は、詳細は後述するが、同一の構成を有する。以下においては、映像表示装置１００−０，１００−１，１００−２，１００−３の各々を、単に、映像表示装置１００とも表記する。
【００１９】
映像表示装置１００−０は、マルチ画面表示装置１０００においてマスター装置として機能する。以下においては、映像表示装置１００−０を、マスター装置ともいう。映像表示装置１００−１，１００−２，１００−３は、マルチ画面表示装置１０００においてスレーブ装置として機能する。以下においては、映像表示装置１００−１，１００−２，１００−３の各々を、スレーブ装置ともいう。なお、マルチ画面表示装置１０００に含まれるスレーブ装置の数は３に限定されず、１〜３または４以上であってもよい。すなわち、マルチ画面表示装置１０００は、第１画面を有する第１映像表示装置（マスター装置）と、第２画面を有する１以上の第２映像表示装置（スレーブ装置）とを含む。
【００２０】
映像表示装置１００−０は、通信ケーブル７１を利用して、スレーブ装置としての映像表示装置１００−１，１００−２，１００−３の各々と通信可能である。
【００２１】
映像表示装置１００−０，１００−１，１００−２，１００−３は、それぞれ、図２に示される画面（スクリーン）１０−０，１０−１，１０−２，１０−３を含む。
【００２２】
マルチ画面表示装置１０００は、マルチ画面１０Ａを含む。図２に示すように、マルチ画面１０Ａは、行列状に配列された画面１０−０，１０−１，１０−２，１０−３から構成される１つの画面である。以下においては、画面１０−０，１０−１，１０−２，１０−３の各々を、単に、画面１０とも表記する。画面１０には、映像を構成する光が照射される。
【００２３】
なお、マルチ画面１０Ａを構成する画面の数は、４に限定されず、２、３または５以上であってもよい。すなわち、マルチ画面１０Ａは、第１画面（マスター装置の画面１０）および１以上の第２画面（スレーブ装置の画面１０）から構成される。
【００２４】
マルチ画面表示装置１０００は、各映像表示装置１００が画面１０に映像を表示することにより、マルチ画面１０Ａに映像を表示する。
【００２５】
図３は、マスター装置またはスレーブ装置としての映像表示装置１００の構成を示すブロック図である。なお、図３には、映像表示装置１００に含まれない映像ソース装置４および外部制御装置５も示される。
【００２６】
図３に示すように、映像表示装置１００は、画面（スクリーン）１０と、投射ユニット２と、電源回路３とを含む。
【００２７】
投射ユニット２は、映像表示デバイス２１と、投射レンズ２２と、光合成装置２３と、アレイ光源２４Ｒ，２４Ｇ，２４Ｂと、光源制御部２７とを含む。
【００２８】
映像表示デバイス２１は、例えばＤＭＤである。すなわち、各映像表示装置１００は、１つのＤＭＤを用いる単板方式の装置である。なお、映像表示デバイス２１は、ＤＭＤに限定されず、他の映像表示デバイスであってもよい。
【００２９】
アレイ光源２４Ｒは、赤色光を出射する赤光源である。アレイ光源２４Ｇは、緑色光を出射する緑光源である。アレイ光源２４Ｂは、青色光を出射する青光源である。なお、アレイ光源２４Ｒ，２４Ｇ，２４Ｂから構成されるアレイ光源は、赤光源、緑光源および青光源を含む。
【００３０】
以下においては、アレイ光源２４Ｒ，２４Ｇ，２４Ｂの各々を、単に、アレイ光源２４とも表記する。
【００３１】
以下においては、赤色、緑色および青色を、それぞれ、Ｒ、ＧおよびＢとも表記する。また、以下においては、赤色光、緑色光および青色光を、それぞれ、Ｒ光、Ｇ光およびＢ光とも表記する。また、以下においては、赤色光の輝度、緑色光の輝度および青色光の輝度を、それぞれ、Ｒ輝度、Ｇ輝度およびＢ輝度ともいう。
【００３２】
図４は、アレイ光源２４の構成を示す図である。
【００３３】
図４に示すように、アレイ光源２４は、発光素子４１−１，４１−２，４１−３，４１−４，４１−５，４１−６を含む。発光素子４１−１，４１−２，４１−３，４１−４，４１−５，４１−６の各々は、ＬＥＤである。例えば、発光素子４１−１は、該発光素子４１−１に電流が流れることにより発光する。
【００３４】
なお、発光素子４１−１，４１−２，４１−３，４１−４，４１−５，４１−６の各々の動作特性は同一であるとする。以下においては、発光素子４１−１，４１−２，４１−３，４１−４，４１−５，４１−６の各々を、単に、発光素子４１とも表記する。
【００３５】
すなわち、アレイ光源２４Ｒ，２４Ｇ，２４Ｂの各々は、複数の発光素子４１を含む。アレイ光源２４Ｒに含まれる各発光素子４１は、赤色光を出射する素子（以下、発光素子Ｒともいう）である。アレイ光源２４Ｇに含まれる各発光素子４１は、緑色光を出射する素子（以下、発光素子Ｇともいう）である。アレイ光源２４Ｂに含まれる各発光素子４１は、青色光を出射する素子（以下、発光素子Ｂともいう）である。各発光素子４１は、マルチ画面１０Ａに映像を表示するためにマルチ画面１０Ａに照射するための光を出射する。
【００３６】
なお、各アレイ光源２４に含まれる発光素子４１の数は、６に限定されず、２〜５，７以上であってもよい。また、発光素子４１は、ＬＥＤに限定されず、光を出射する他の素子であってもよい。
【００３７】
ＤＭＤとしての１つの映像表示デバイス２１を用いた映像表示装置において、映像を表示するための詳細な処理は、公知な処理であるので詳細な説明は行わない。以下、簡単に説明する。
【００３８】
光源制御部２７は、各アレイ光源２４の複数の発光素子４１を発光させる制御を行う。具体的には、光源制御部２７は、後述のマイコン３３からの指示に従って、異なるタイミング（時分割）で、赤色光、緑色光および青色光が順次出射されるように、アレイ光源２４Ｒ，２４Ｇ，２４Ｂを制御する。
【００３９】
光合成装置２３は、アレイ光源２４Ｒ，２４Ｇ，２４Ｂから出射される、赤色光、緑色光および青色光を、順次、出射する。
【００４０】
アレイ光源２４Ｒ，２４Ｇ，２４Ｂの各々が出射する光は、光合成装置２３を介して、映像表示デバイス２１へ照射された後、投射レンズ２２を介して画面（スクリーン）１０へ照射される。なお、赤色光、緑色光および青色光は、非常に短い時間間隔で画面１０に、順次照射される。そのため、画面１０を視るユーザは、赤色光、緑色光および青色光が合成された光が画面１０に照射されているように見える。すなわち、ユーザは、画面１０において、赤、緑、青が混色された色が見える。これにより、画面１０に映像が表示される。
【００４１】
映像表示デバイス２１は、映像処理回路３２から受信する後述の映像信号にしたがって、照射された光を強度変調し、変調後の光を、投射レンズ２２へ導く。
【００４２】
電源回路３は、映像入力回路３１と、映像処理回路３２と、マイコン３３と、メモリ３４と、入力端子３５と、出力端子３６と、外部通信端子３７とを含む。
【００４３】
映像入力回路３１は、マルチ画面表示装置１０００の外部に配置された映像ソース装置４が出力する映像信号を受信する。次に、映像入力回路３１は、デジタル信号へ変換した映像信号を、映像処理回路３２へ出力する。
【００４４】
映像処理回路３２は、受信した映像信号が示す画像に対し画質調整等の画像処理を行う。次に、映像処理回路３２は、画像処理された映像信号を、映像表示デバイス２１が処理可能なフォーマットの映像信号に変換する。そして、映像処理回路３２は、マイコン３３からの指示に従ったタイミングで、変換した映像信号を、映像表示デバイス２１へ出力する。例えば、映像処理回路３２は、映像表示デバイス２１に赤色光が照射されるタイミングに、赤の成分の画像を示す当該変換した映像信号を、映像表示デバイス２１へ出力する。
【００４５】
映像信号処理回路３２は、赤色光、緑色光および青色光ごとに独立して、画面１０全体の信号レベルを増減させ、マルチ画面１０Ａにおける各画１０面間の色度、輝度を調整する機能を有する。
【００４６】
入力端子３５および出力端子３６は、通信ケーブル７１を介して、他の映像表示装置１００に接続される。
【００４７】
マイコン３３は、マルチ画面表示装置１０００の外部に配置された外部制御装置５により、外部通信端子３７を介して、制御される。また、マイコン３３は、入力端子３５および出力端子３６を介して、各映像表示装置１００間の通信制御を行う。
【００４８】
また、マイコン３３は、光源制御部２７を介して、アレイ光源２４Ｒ，２４Ｇ，２４Ｂの各々が出射する光の輝度を制御する。マイコン３３は、さらに、後述の電流輝度特性、映像処理回路３２の画質調整値を含む各種制御データをメモリ３４に記憶させる。当該画質調整値は、ＲＧＢの輝度、色度等の調整値である。また、マイコン３３は、必要に応じて、メモリ３４に記憶されている、電流輝度特性、各種データ等を読み出す。
【００４９】
次に、アレイ光源２４の構成の一例について説明する。
【００５０】
図４に示すように、アレイ光源２４は、前述した発光素子４１−１，４１−２，４１−３，４１−４，４１−５，４１−６と、電源Ｐ１０と、定電流回路６１−１，６１−２，６１−３，６１−４，６１−５，６１−６と、電圧監視部５１−１，５１−２，５１−３，５１−４，５１−５，５１−６とを含む。以下においては、定電流回路６１−１，６１−２，６１−３，６１−４，６１−５，６１−６の各々を、単に、定電流回路６１とも表記する。また、以下においては、電圧監視部５１−１，５１−２，５１−３，５１−４，５１−５，５１−６の各々を、単に、電圧監視部５１とも表記する。
【００５１】
発光素子４１−１，４１−２，４１−３，４１−４，４１−５，４１−６には、それぞれ、定電流回路６１−１，６１−２，６１−３，６１−４，６１−５，６１−６が電気的に接続される。すなわち、各発光素子４１に対応づけて定電流回路６１が設けられる。発光素子４１−１，４１−２，４１−３，４１−４，４１−５，４１−６の各々には、電源Ｐ１０から、例えば、１２Ｖの電圧が印加される。
【００５２】
６個の定電流回路６１の各々は、対応する発光素子４１に一定の電流を流すための回路である。
【００５３】
光源制御部２７は、定電流回路６１を制御することにより、該定電流回路６１に対応する発光素子４１の発光を制御する。具体的には、光源制御部２７は、マイコン３３からの指示にしたがい、必要に応じて、アレイ光源２４の各定電流回路６１が流す電流の量を変化させるよう各定電流回路６１を制御する。これにより、各発光素子４１には一定の電流が流れる。すなわち、光源制御部２７は、各発光素子４１を定電流駆動させることにより、各発光素子４１を発光させ、各発光素子４１の輝度制御を行う。
【００５４】
なお、初期調整時は、同一のアレイ光源２４の各発光素子４１は、同一の電流値の電流で駆動する。
【００５５】
なお、計測者は、あらかじめ、各映像表示装置１００に対し、マルチ画面１０Ａに、赤色光、緑色光および青色光のいずれかのみを照射させるための操作を外部制御装置５に対し行う。なお、計測者は、光照射に利用される電流の電流値を指定するための操作も外部制御装置５に対し行う。
【００５６】
具体的には、各映像表示装置１００に対する、計測者により操作された外部制御装置５からの制御により、各映像表示装置１００の光源制御部２７は、アレイ光源２４Ｒ，２４Ｇ，２４Ｂのいずれかのみの各定電流回路６１を制御することで当該各発光素子４１に所定の電流を流す。
【００５７】
そして、計測者は、各発光素子４１に流れる電流によりマルチ画面１０Ａに照射される光（例えば、赤色光）の輝度を、計測器等を使用して計測する。計測者は、計測した輝度を、アレイ光源２４を構成する発光素子４１の数で除算することにより、１個の発光素子４１が出射する光の輝度を算出する。
【００５８】
なお、光の輝度の計測の際には、発光素子４１が出射する光は、映像表示デバイス２１等により、強度変調されないようにされている。すなわち、光の輝度の計測の際には、発光素子４１が出射する光は、強度変調されずマルチ画面１０Ａに照射されるものとする。
【００５９】
計測者は、１個の発光素子４１に流れる電流に対する、上記１個の発光素子４１が出射する光の輝度の特性である電流輝度特性をあらかじめ算出する。すなわち、電流輝度特性は、発光素子４１に流れる電流と、該発光素子４１が出射する光の輝度との関係を示す特性である。
【００６０】
上記電流輝度特性の算出は、赤色光、緑色光および青色光の各々に対して行われる。
【００６１】
各映像表示装置１００は、算出された赤色光、緑色光および青色光の上記電流輝度特性を、あらかじめ、メモリ３４に記憶させておく。
【００６２】
図５は、電流輝度特性の一例を示す図である。図５（ａ）は、赤色光を出射する１個の発光素子Ｒの電流輝度特性ＬＲ１の一例を示す図である。図５（ａ）において、ＹＲ０とは、発光素子Ｒに流れる電流の電流値がＩＲ０である場合における、当該発光素子Ｒが出射する光の初期輝度である。
【００６３】
アレイ光源２４Ｒに含まれる６個の発光素子４１が全て発光し、電流値がＩＲ０の場合、アレイ光源２４Ｒが出射する光の輝度は、６×ＹＲ０である。
【００６４】
図５（ｂ）は、緑色光を出射する１個の発光素子４１の電流輝度特性ＬＧ１の一例を示す図である。ＩＧ０とは、後述する処理において調整された後の電流の電流値である。ＹＧ０とは、発光素子Ｇに流れる電流の電流値がＩＧ０である場合における、当該発光素子Ｇが出射する光の初期輝度である。
【００６５】
図５（ｃ）は、青色光を出射する１個の発光素子４１の電流輝度特性ＬＢ１の一例を示す図である。ＩＢ０とは、後述する処理において調整された後の電流の電流値である。ＹＢ０とは、発光素子Ｂに流れる電流の電流値がＩＢ０である場合における、当該発光素子Ｂが出射する光の初期輝度である。
【００６６】
再び、図４を参照して、電圧監視部５１−１，５１−２，５１−３，５１−４，５１−５，５１−６は、それぞれ、発光素子４１−１，４１−２，４１−３，４１−４，４１−５，４１−６に対応づけて設けられる。
【００６７】
各電圧監視部５１は、対応する発光素子４１の出力側の電圧を随時測定し、測定した電圧を、光源制御部２７を介して、マイコン３３へ送信する。これにより、マイコン３３は、各発光素子４１の状態を随時把握している。
【００６８】
発光素子４１は発光する色および電流量により電圧降下が異なる。例えば、発光素子Ｒが正常に動作している場合の電圧降下が３〜５Ｖの場合、電圧監視部５１が検出する電圧は、７〜９Ｖである。
【００６９】
ここで、例えば、発光素子Ｒが正常に動作していると判定する範囲を７〜９Ｖと設定する。この場合、マイコン３３は、電圧監視部５１から、９Ｖ以上の電圧を受信した場合、当該電圧を送信した電圧監視部５１に対応する発光素子４１が短絡状態で故障していると判定する。また、マイコン３３は、電圧監視部５１から、９Ｖ以下の電圧を受信した場合、当該電圧を送信した電圧監視部５１に対応する発光素子４１が開放状態で故障していると判定する。
【００７０】
マイコン３３は、光源制御部２７を介して、各電圧監視部５１から受信する電圧により、アレイ光源２４Ｒ，２４Ｇ，２４Ｂの各々において、故障している発光素子（以下、故障発光素子ともいう）を検出する。すなわち、マイコン３３は、各アレイ光源２４に含まれる複数の発光素子のうち、故障発光素子が存在するか否かを判定する故障判定部である。なお、故障発光素子は、点灯不能な発光素子である。
【００７１】
故障発光素子が存在する場合、マルチ画面１０Ａ（画面１０）に照射される光の輝度の低下および色度の変化が発生する。例えば、１個の発光素子Ｒが故障した場合、Ｒ輝度の低下と、ＲＧＢ光の混色である白色光の色度変化が発生する。
【００７２】
次に、輝度の低下と色度の変化を補正するための処理（以下、輝度制御処理ともいう）について説明する。前述したように、映像表示装置１００−０を、マスター装置ともいう。また、前述したように、映像表示装置１００−１，１００−２，１００−３の各々を、スレーブ装置ともいう。
【００７３】
図６は、輝度制御処理のフローチャートである。
【００７４】
図６において、ステップＳ１１０〜Ｓ１４２の処理は、マスター装置が行う処理である。ステップＳ２１０〜Ｓ２４２の処理は、スレーブ装置が行う処理である。以下の処理において、光源制御部２７は、マイコン３３からの指示に従って処理を行う。
【００７５】
例えば、マルチ画面表示装置１０００の電源がオンになると、マスター装置および各スレーブ装置の各々において、初期設定としての初期輝度色度調整処理が行われる（Ｓ１１０、Ｓ２１０）。初期輝度色度調整処理は、マルチ画面１０Ａに映像を表示するためにマルチ画面１０Ａに照射される光の輝度および色度をマルチ画面１０Ａ全体にわたって均一化するための初期処理である。
【００７６】
初期輝度色度調整処理では、光源制御部２７は、光の調整を行う。具体的には、光源制御部２７は、マルチ画面１０Ａに照射される光の輝度および色度が、マルチ画面１０Ａ全体にわたって均一になるように、各定電流回路６１を用いて、各アレイ光源２４の各発光素子４１に流れる電流の量を調整する。そして、マイコン３３は、調整された電流の電流値ＩＲ０，ＩＧ０，ＩＢ０を、メモリ３４に記憶させる。
【００７７】
次に、マイコン３３が、故障発光素子が存在するか否かを判定する（Ｓ１２０、Ｓ２２０）。
【００７８】
故障発光素子が存在しない場合（Ｓ１２０，Ｓ２２０でＮＯ）、マスター装置では処理はステップＳ１３０に移行し、スレーブ装置では処理はステップＳ２３０に移行する。一方、故障発光素子が存在する場合（Ｓ１２０，Ｓ２２０でＹＥＳ）、マスター装置では処理はステップＳ１２１に移行し、スレーブ装置では処理はステップＳ２２１に移行する。
【００７９】
輝度補正処理（Ｓ１２１，Ｓ２２１）では、光源制御部２７は、電流輝度特性を用いて、光補正処理を行う。光補正処理は、故障発光素子を含むアレイ光源２４が出射する光の輝度を、故障発光素子が故障する前のアレイ光源２４が出射する光の輝度に近づくように、アレイ光源２４に含まれる複数の発光素子のうち故障発光素子を除いた発光素子を制御する処理である。
【００８０】
具体的には、マイコン３３が、メモリ３４に記憶されている、赤色光、緑色光および青色光の電流輝度特性および調整された電流値ＩＲ０，ＩＧ０，ＩＢ０のうち必要な情報を用いて、故障していない発光素子４１に流れる電流を制御するための補正電流値を算出する。そして、光源制御部２７は、マイコン３３からの指示により、故障してなく、正常に点灯している発光素子４１に流れる電流の量を、必要な定電流回路６１を制御することにより変化させ、輝度の補正を行う。
【００８１】
以下においては、故障発光素子を含まないアレイ光源２４が出射する光の輝度に対する、故障発光素子を含むアレイ光源２４が前述の光補正処理に従わず出射する光の輝度の割合を、補正前輝度低下率ともいう。
【００８２】
ここで、例えば、映像表示装置１００−０（マスター装置）のアレイ光源２４Ｒ内の１個の発光素子Ｒ（発光素子４１）が故障したとする（以下、状況Ａともいう）。すなわち、アレイ光源２４Ｒには、１個の故障発光素子が存在するとする。この場合、１個の故障発光素子を含むアレイ光源２４Ｒが出射する光の輝度は、故障発光素子が存在しないアレイ光源２４Ｒが出射する光の輝度の５／６になる。すなわち、補正前輝度低下率は、５／６である。
【００８３】
また、この場合、マイコン３３は、正常な５個の発光素子Ｒに流れる電流を増加させることで輝度の増加を行う。
【００８４】
上記状況Ａにおける輝度補正処理では、マイコン３３が、電流輝度特性ＬＲ１と、調整された電流値ＩＲ０とから、補正電流値を算出する。具体的には、マイコン３３は、図５（ａ）の電流輝度特性ＬＲ１において、電流値ＩＲ０に、上記５／６の逆数である６／５を乗算した補正電流値ＩＲ１を算出する。そして、光源制御部２７は、マイコン３３からの指示に従い、正常な５個の発光素子Ｒに流れる電流の電流値を、補正電流値ＩＲ１となるよう、当該正常な各発光素子Ｒに対応する定電流回路６１を制御する。
【００８５】
これにより、正常な５個の発光素子Ｒの各々が出射する光の輝度は、ＹＲ０の６／５倍となる。すなわち、アレイ光源２４Ｒが出射する光の輝度は、故障発光素子が発生する前とほぼ同じになる。
【００８６】
なお、定電流回路６１が流すことができる電流の最大値（以下、最大電流値ともいう）はあらかじめ決まっている。そのため、定電流回路６１の最大電流値によっては、故障発光素子を含むアレイ光源２４が出射する光の輝度を、故障発光素子が存在しないアレイ光源２４が出射する光の輝度とほぼ同等にすることができない場合がある。
【００８７】
例えば、６個の発光素子Ｒのうち、１個の発光素子Ｒが故障したとする。この場合、アレイ光源２４Ｒが出射する光の輝度は、当該故障が発生する前の輝度の５／６になる。ここで、定電流回路６１の最大電流値がＩＲｍａｘであり、正常な５個の発光素子Ｒに流れる電流の電流値を、前述の光補正処理によりＩＲｍａｘに制御したとする。
【００８８】
この場合、図５（ｄ）に示すように、最大電流値ＩＲｍａｘに対応するＲ輝度は、ＹＲ０×（１１／１０）である。すなわち、正常な各発光素子ＲのＲ輝度は、ＹＲ０×（１１／１０）である。そのため、アレイ光源２４Ｒが光補正処理に従って出射する光の輝度は、ＹＲ０×（１１／１０）×５／６＝１１／１２より、故障が発生する前の輝度に戻らない。
【００８９】
このような場合、輝度補正処理では、発光素子Ｇが出射する光の輝度がＹＧ０×（１１／１２）となる補正電流値ＩＧ１、発光素子Ｂが出射する光の輝度がＹＢ０×（１１／１２）となる補正電流値ＩＢ１を算出する。
【００９０】
そして、輝度補正処理において、光源制御部２７は、アレイ光源２４Ｇの正常な各発光素子Ｇに流れる電流の電流値を、補正電流値ＩＧ１となるよう、当該正常な各発光素子Ｇに対応する定電流回路６１を制御する。また、光源制御部２７は、アレイ光源２４Ｂの正常な各発光素子Ｂに流れる電流の電流値を、補正電流値ＩＢ１となるよう、当該正常な各発光素子Ｂに対応する定電流回路６１を制御する。すなわち、正常な発光素子に流す電流量が減少される。
【００９１】
これにより、ＲＧＢ光が混色された白色の輝度は、発光素子が故障する前の輝度の１１／１２に減少する。しかしながら、故障前と同じように、Ｒ輝度、Ｇ輝度、Ｂ輝度のバランスを保持することで、当該白色の色度は故障前と同じ色度となる。この場合、後述の輝度低下率算出処理で算出される輝度低下率ｐｎは１１／１２である。
【００９２】
以上のように、最大電流値を用いた電流制限により輝度が低下した場合、マルチ画面１０Ａ全体の輝度の目標値を再設定する。そのため、発光素子が故障しても、マルチ画面１０Ａにおける各画像間で、色度の均一性を保つことができる。すなわち、発光素子が故障し、電流制限により、ＲＧＢの輝度値を、故障前の値に戻せない場合でも、マルチ画面１０Ａにおける色度特性を故障前と同じ状態に保つことができる。
【００９３】
マスター装置およびスレーブ装置では、輝度補正処理の後、輝度低下率を算出する輝度低下率算出処理（Ｓ１２２，Ｓ２２２）が行われる。輝度低下率算出処理では、マイコン３３が、まず、電流輝度特性に基づいて補正輝度を算出する。
【００９４】
補正輝度とは、輝度補正処理が行われることにより、アレイ光源２４が出射する光の輝度である。補正輝度は、算出された補正電流値に対応する、電流輝度特性が示す輝度である。例えば、算出された補正電流値がＩＲ１である場合、図５（ａ）の電流輝度特性ＬＲ１より、補正輝度は、ＹＲ０×（６／５）である。
【００９５】
そして、マイコン３３は、補正輝度に、（補正前輝度低下率／初期輝度）を乗算した値を、輝度低下率ｐｎとして算出する。
【００９６】
輝度低下率ｐｎは、マルチ画面１０Ａに照射される光の輝度をマルチ画面１０Ａ全体にわたって均一化するための補正情報である。なお、輝度補正処理における光補正処理が行われた場合、当該補正情報（輝度低下率ｐｎ）は、光補正処理に関する情報である。
【００９７】
具体的には、輝度低下率は、故障発光素子を含まないアレイ光源２４が出射する光の輝度に対する、故障発光素子を含むアレイ光源２４が前述の光補正処理に従って出射する光の輝度の割合である。
【００９８】
ここで、例えば、初期輝度がＹＲ０であり、補正輝度が、ＹＲ０×（６／５）であり、補正前輝度低下率が、５／６であるとする。この場合、輝度低下率算出処理により算出される輝度低下率ｐｎは、ＹＲ０×（６／５）×５／６／ＹＲ０より、１である。
【００９９】
スレーブ装置では、輝度低下率算出処理の後、マイコン３３は、算出した輝度低下率ｐｎを、マスター装置へ送信する（Ｓ２２３）。すなわち、スレーブ装置は、輝度補正処理における光補正処理を行った場合、該光補正処理に関する補正情報をマスター装置へ送信する。
【０１００】
これにより、マスター装置は、補正情報としての輝度低下率ｐｎを受信する。
【０１０１】
すなわち、マスター装置は、スレーブ装置のマイコン３３（故障判定部）が故障発光素子が存在すると判定した場合、輝度低下率ｐｎ（補正情報）をスレーブ装置から取得する。言い換えれば、マスター装置は、スレーブ装置のマイコン３３（故障判定部）が故障発光素子が存在すると判定した場合、算出された輝度低下率を補正情報として、スレーブ装置から取得する。
【０１０２】
なお、マスター装置のアレイ光源２４内の発光素子４１が故障した場合は、マスター装置内で故障発光素子を検出できる。そのため、故障発光素子が存在しないスレーブ装置は、マスター装置へ輝度低下率ｐｎを送信しない。マスター装置は、輝度低下率ｐｎを受信しない場合、スレーブ装置の発光素子４１が故障していないと判定し、スレーブ装置の輝度低下率ｐｎ＝１として、後述の補正係数Ｐを算出する（Ｓ１３１）。補正係数Ｐは、前記マルチ画面に照射される光の輝度を前記マルチ画面全体にわたって均一化するための補正指示に相当する。
【０１０３】
マスター装置は、輝度低下率ｐｎ（補正情報）を受信した場合、取得した輝度低下率ｐｎ（補正情報）に基づいて、補正係数Ｐを算出する（Ｓ１３１）。ここで、補正係数Ｐとは、マルチ画面１０Ａに照射される光の輝度をマルチ画面全体１０Ａにわたって均一化するための係数である。補正係数Ｐは、以下の式１により算出される。
【０１０４】
Ｐ＝（マスター装置の輝度低下率ｐｎ）×（スレーブ装置の輝度低下率ｐｎ）…（式１）
マスター装置の輝度低下率ｐｎ＝１１/１２であり、スレーブ装置の輝度低下率ｐｎ＝１の場合、補正係数Ｐは、式１により、Ｐ＝１１/１２となる。
【０１０５】
式１より、ステップＳ１３１では、ステップＳ１２１が行われた場合、または、ステップＳ２２３が行われた場合、マスター装置は、補正指示（補正係数Ｐ）を作成する。すなわち、マスター装置は、マスター装置が光補正処理を行った場合またはスレーブ装置から補正情報を受信した場合、マスター装置が行った光補正処理に関する補正情報、および、受信した補正情報の少なくとも一方に基づいて、補正指示（補正係数Ｐ）を作成する。
【０１０６】
マスター装置は、算出した補正係数Ｐを、スレーブ装置へ送信する（Ｓ１３２）。これにより、スレーブ装置は、マスター装置から送信された補正係数Ｐを受信する（Ｓ２３０でＹＥＳ）。マスター装置が送信する補正係数Ｐは、マルチ画面１０Ａに照射される光の輝度をマルチ画面１０Ａ全体にわたって均一化するように、スレーブ装置を制御するための補正指示に相当する。
【０１０７】
すなわち、マスター装置は、補正係数Ｐをスレーブ装置へ送信することにより、マスター装置は、マルチ画面１０Ａに照射される光の輝度をマルチ画面１０Ａ全体にわたって均一化するように、スレーブ装置を制御する。
【０１０８】
マスター装置およびスレーブ装置では、マイコン３３が、補正係数Ｐと輝度低下率ｐｎとの比であるＰ／ｐｎ＝１であるか否かを判定する（Ｓ１４０、Ｓ２４０）。Ｐ／ｐｎ＝１でない場合は、マルチ画面１０Ａに照射される光の輝度がマルチ画面１０Ａ全体にわたって均一化されていない場合である。
【０１０９】
Ｐ／ｐｎ＝１であると判定された場合（Ｓ１４０、Ｓ２４０でＹＥＳ）、輝度を変更する必要がない。そのため、光源制御部２７により制御される、発光素子４１に流れる電流の量は変更されない。この場合、マスター装置では、処理はＳ１２０に移行し、スレーブ装置では、処理はＳ２２０に移行する。
【０１１０】
一方、Ｐ／ｐｎ＝１でない場合（すなわち、Ｐ／ｐｎ＜１）と判定された場合（Ｓ１４０、Ｓ２４０でＮＯ）、マスター装置およびスレーブ装置において、輝度補正処理Ａが行われる（Ｓ１４１、Ｓ２４１）。
【０１１１】
輝度補正処理Ａでは、光源制御部２７により、アレイ光源２４Ｒ，２４Ｇ，２４Ｂの各々における発光素子４１に流れる電流を変更することにより、マルチ画面１０Ａに照射される光の輝度をマルチ画面全体１０Ａにわたって均一化するための処理が行われる。少し具体的には、輝度補正処理Ａでは、マスター装置およびスレーブ装置の各々は、マルチ画面１０Ａに照射される光の輝度がマルチ画面１０Ａ全体にわたって均一化されていない場合、補正指示（補正係数Ｐ）にしたがって、マルチ画面１０Ａに照射される光の輝度をマルチ画面１０Ａ全体にわたって均一化する処理を行う。
【０１１２】
より具体的には、輝度補正処理Ａでは、マスター装置およびスレーブ装置の各々の光源制御部２７は、補正係数Ｐに基づいて、マルチ画面１０Ａに照射される光の輝度をマルチ画面１０Ａ全体にわたって均一化するように、アレイ光源２４を制御する。
【０１１３】
さらに具体的には、光源制御部２７は、メモリ３４に記憶されている、赤色光、緑色光および青色光の電流輝度特性および調整された電流値ＩＲ０，ＩＧ０，ＩＢ０を用いて、アレイ光源２４Ｒ，２４Ｇ，２４Ｂの各々における各発光素子４１に流れる電流を変更する。
【０１１４】
より詳細には、光源制御部２７は、アレイ光源２４Ｒ内の発光素子４１に流れる電流の電流値が、ＩＲ０のＰ／ｐｎ倍になるように、アレイ光源２４Ｒ内の各定電流回路６１を制御する。ここで、Ｐ＝１１／１２、輝度低下率ｐｎ＝１である場合、発光素子４１に流れる電流の電流値が、ＩＲ０の１１／１２倍になるように制御される。
【０１１５】
なお、光源制御部２７は、アレイ光源２４Ｇ，アレイ光源２４Ｂに対しても、アレイ光源２４Ｒに対する上記の制御と同様な制御を行う。
【０１１６】
ここで、例えば、マスター装置が処理する補正係数Ｐおよび輝度低下率ｐｎは、補正係数Ｐ＝１１／１２、輝度低下率ｐｎ＝１１／１２であるとする。この場合、Ｐ／ｐｎ＝１であるため、マスター装置において、輝度補正処理Ａは行われない。
【０１１７】
また、例えば、スレーブ装置が処理する補正係数Ｐおよび輝度低下率ｐｎは、補正係数Ｐ＝１１／１２、輝度低下率ｐｎ＝１であるとする。この場合、Ｐ／ｐｎ＜１より、スレーブ装置では、輝度補正処理Ａが行われる。
【０１１８】
輝度補正処理Ａの処理の後、マイコン３３は、輝度低下率ｐｎの値を、最新の補正係数Ｐの値に設定する（Ｓ１４２、Ｓ２４２）。ここで、Ｐ＝１１／１２である場合、輝度低下率ｐｎは、１１／１２に設定される。その後、マスター装置では、処理はＳ１２０に移行する。スレーブ装置では、処理はＳ２２０に移行する。
【０１１９】
ここで、一例として、スレーブ装置およびマスター装置の両方に故障発光素子が存在するとする。この場合、スレーブ装置において、前述のステップＳ２２１、Ｓ２２２，Ｓ２２３の処理が行われる。ここで、ステップＳ２２３で送信された、スレーブ装置の輝度低下率ｐｎは、１１／１２であるとする。
【０１２０】
また、マスター装置において、前述のステップＳ１２０，Ｓ１２１，Ｓ１２２，Ｓ１３１，Ｓ１３２の処理が行われる。ここで、ステップＳ１２２により算出されたマスター装置の輝度低下率ｐｎは、一例として、４／６であるとする。ステップＳ１３１により算出された補正係数Ｐは、１１/１８であるとする。そして、ステップＳ１３２により、マスター装置が、補正係数Ｐを、スレーブ装置へ送信する。この場合、マスター装置において、さらに、ステップＳ１４０，Ｓ１４１，Ｓ１４２の処理が行われる。
【０１２１】
また、スレーブ装置において、さらに、前述のステップＳ２３０、Ｓ２４０，Ｓ２４１，Ｓ２４２が行われる。
【０１２２】
以上の処理が行われることにより、マスター装置は、スレーブ装置の故障判定部が故障発光素子が存在すると判定した場合、マルチ画面１０Ａに照射される光の輝度をマルチ画面１０Ａ全体にわたって均一化するための補正情報（輝度低下率ｐｎ）をスレーブ装置から取得する。また、マスター装置のマイコン３３（故障判定部）が故障発光素子が存在すると判定した場合、マスター装置の光源制御部２７は、スレーブ装置から受信した補正情報（輝度低下率ｐｎ）にしたがって、マルチ画面１０Ａに照射される光の輝度をマルチ画面１０Ａ全体にわたって均一化するように、マスター装置のアレイ光源２４を制御する。また、マスター装置は、マルチ画面１０Ａに照射される光の輝度をマルチ画面１０Ａ全体にわたって均一化するように、スレーブ装置を制御する。
【０１２３】
以上説明したように、本実施の形態によれば、上記輝度制御処理が行われることにより、アレイ光源２４Ｒ，２４Ｇ，２４Ｂのうち少なくとも１つにおいて、発光素子が故障しても、Ｒ，Ｇ，Ｂの輝度の変化の度合いを小さくすることができる。すなわち、複数の発光素子を含むアレイ光源において、発光素子が故障してもアレイ光源が出射する光の輝度の変化を低減することができる。
【０１２４】
また、マスター装置およびスレーブ装置の各々は、マルチ画面１０Ａに照射される光の輝度がマルチ画面１０Ａ全体にわたって均一化されていない場合、マルチ画面１０Ａに照射される光の輝度をマルチ画面１０Ａ全体にわたって均一化する処理を行う。
【０１２５】
これにより、マルチ画面１０Ａにおける各画面間の輝度の均一性を確保することが可能なマルチ画面表示装置を提供することができる。
【０１２６】
また、上記構成により、赤、緑、青が混色された色の色度を一定に保つことができる。すなわち、一部の発光素子４１が故障してもマルチ画面１０Ａ全体の輝度色度特性を保つことができる。言い換えれば、発光素子が故障し、点灯不能になった場合でも、マルチ画面１０Ａにおける各画面１０間の色度、輝度の均一性を確保することができる。
【０１２７】
また、マルチ画面１０Ａにおける各画面間において輝度差が発生した場合も、マスター装置が補正係数を算出し、その補正係数によって、マスター装置および各スレーブ装置が、輝度補正処理Ａを行うことにより、マルチ画面１０Ａにおける輝度の均一性を保つことができる。
【０１２８】
（その他の変形例）
以上、本発明に係るマルチ画面表示装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０１２９】
例えば、マルチ画面表示装置１０００は、４つの映像表示装置１００で構成したが、２つ以上の映像表示装置１００で構成してもよい。
【０１３０】
また、マルチ画面１０Ａは、複数のスクリーンで構成された画面に限定されず、例えば、ブラウン管の画面を複数組み合わせたマルチ画面であってもよい。
【０１３１】
また、Ｓ１２１、Ｓ２２１の輝度補正処理では故障した発光素子によって低下した輝度を補正するために、光源制御部２７が、発光素子に流れる電流を増加させる処理を行っていたがこれに限定されない。例えば、発光素子が故障した場合は輝度低下率のみを算出し、例えば、発光素子Ｒが故障した場合は、輝度低下率にしたがい、発光素子Ｇ，Ｂに流れる電流を減少させて、ＲＧＢの色度バランスのみが一定に保たれるように制御してもよい。
【０１３２】
この場合、マルチ画面表示装置１０００のマルチ画面１０Ａ全体の輝度が、故障した発光素子の数にしたがって低下する。しかしながら、色度のバランスは均一に保つことができ、故障が発生したアレイ光源２４に対して電流値を増加させないので、電流増加に伴う発光素子の温度上昇及び寿命の低下がない。
【０１３３】
また、マルチ画面表示装置における、ある映像表示装置１００において複数個の発光素子が故障した場合、当該映像表示装置１００の輝度低下率に、マルチ画面１０Ａ全体の輝度を合わせると、マルチ画面１０Ａ全体の輝度が大幅に低下し、使用に耐えなくなる可能性がある。
【０１３４】
この場合、例えば、アレイ光源２４Ｒの６個の発光素子４１のうち４個の発光素子４１が故障した場合、輝度低下率を新たに算出しないように制御する。これにより、故障発光素子を有さない映像表示装置１００間では輝度が大幅に低下することなく使用することができる。
【０１３５】
また、複数の発光素子の故障により、輝度低下率を算出しなくなった映像表示装置１００は画面上のオンスクリーン表示や外部制御装置のアラーム等を発行することで、修理、光源交換等の必要性を報知するようにしてもよい。
【０１３６】
また、上記実施の形態に係る映像表示装置１００は、Ｒ，Ｇ，Ｂの３原色のアレイ光源２４Ｒ，２４Ｇ，２４Ｂを使用しているが、３原色以上のアレイ光源を用いて構成してもよい。
【０１３７】
また、上記実施の形態に係る映像表示装置１００では、３つのアレイ光源を用いる構成としたがこれに限定されない。映像表示装置１００は、例えば、１つのアレイ光源と、カラーホイールとを使用してＲ，Ｇ，Ｂ等の光を発生する構成としてもよい。
【０１３８】
また、映像表示装置１００は、図３に示される全ての構成要素を含まなくてもよい。すなわち、映像表示装置１００は、本発明の効果を実現できる最小限の構成要素のみを含めばよい。例えば、映像表示装置１００は、画面１０、アレイ光源２４、光源制御部２７および故障判定部（マイコン３３）のみを含む構成であってもよい。
【０１３９】
また、本発明は、映像表示装置１００が備える特徴的な構成部の動作をステップとする輝度制御方法として実現してもよい。また、本発明は、そのような輝度制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１４０】
上記実施の形態で用いた全ての数値は、本発明を具体的に説明するための一例の数値である。すなわち、本発明は、上記実施の形態で用いた各数値に制限されない。
【０１４１】
また、本発明に係る輝度制御方法は、図６の輝度制御処理に相当する。本発明に係る輝度制御方法は、図６における、対応する全てのステップを必ずしも含む必要はない。すなわち、本発明に係る輝度制御方法は、本発明の効果を実現できる最小限のステップのみを含めばよい。例えば、本発明に係る輝度制御方法は、ステップＳ１１０，Ｓ２１０を含まない方法であってもよい。
【０１４２】
また、輝度制御方法における各ステップの実行される順序は、本発明を具体的に説明するための一例であり、上記以外の順序であってもよい。また、輝度制御方法におけるステップの一部と、他のステップとは、互いに独立して並列に実行されてもよい。
【０１４３】
なお、映像表示装置１００の各構成要素の一部は典型的には集積回路であるＬＳＩ（Large Scale Integration）として実現されてもよい。例えば、映像入力回路３１、映像処理回路３２およびマイコン３３は、集積回路として実現されてもよい。
【０１４４】
なお、本発明は、その発明の範囲内において、実施の形態を適宜、変形、省略することが可能である。
【産業上の利用可能性】
【０１４５】
本発明は、マルチ画面における各画面間の輝度の均一性を確保することが可能なマルチ画面表示装置として、利用することができる。
【符号の説明】
【０１４６】
２４，２４Ｒ，２４Ｇ，２４Ｂ  アレイ光源、２７  光源制御部、３３  マイコン、４１，４１−１，４１−２，４１−３，４１−４，４１−５，４１−６  発光素子、６１，６１−１，６１−２，６１−３，６１−４，６１−５，６１−６  定電流回路、１００，１００−０，１００−１，１００−２，１００−３  映像表示装置、１０００  マルチ画面表示装置。
【図１】
2013160966.tif 000003
【図２】
2013160966.tif 000004
【図３】
2013160966.tif 000005
【図４】
2013160966.tif 000006
【図５】
2013160966.tif 000007
【図６】
2013160966.tif 000008